(57)【要約】【課題】この発明は、インターネット上に開設されたホームページに、テレビコマーシャルを再生し、アンケート形式による調査情報を点数化して、スポンサーのテレビコマーシャルの効果調査を行うことを目的とする。 【発明を解決するための手段】インターネット上に開設されたホームページに、スポンサー各社のテレビコマーシャルを再生し、インターネットを利用するユーザ（イ）がＩＤ．パスワードを入力することにより、ホームページ上のアンケートに参加して貰い、アンケート部（ロ）上に複数の調査情報を点数化したアンケートの回答を記入し、その結果をテレビコマーシャル再生画像毎に集計し、スポンサー会社（ハ）の企業イメージやその会社が提供する商品のイメージ効果等を調査する。【選択図】    図1
2005346122.tif 000002
【特許請求の範囲】
【請求項１】
インターネット上に開設されたホームページを利用して、スポンサー各社のテレビコマーシャルを再生し、調査情報を点数化したアンケート結果をテレビコマーシャル再生画面毎に集計し、テレビコマーシャルの効果調査を行うことを特徴とするテレビコマーシャル効果調査システム。
【請求項２】
インターネットを利用してテレビコマーシャル効果調査システムに参加しようとするユーザが、ホームページよりＩＤ・パスワードを入力することにより、ホームページ上に再生されたテレビコマーシャル効果調査アンケートに参加し、テレビコマーシャルに対する必要な調査情報をアンケート画面上で記入することにより、テレビコマーシャル調査システムのデータベースに記録されたアンケート結果を、テレビコマーシャル毎に効果評価を集計することを特徴とする請求項１記載のテレビコマーシャル効果調査システム。
【発明の詳細な説明】
【技術分野】
【０００１】
この発明は、インターネットのホームページを利用して一般消費者を対象としたテレビコマーシャルのアンケート情報を集計するもので、インターネットユーザの誰でもが、ホームページを利用してテレビコマーシャル効果調査アンケートに参加することが出来るテレビコマーシャルの効果調査システムに関するものである。
【背景技術】
【０００２】
インターネットのホームページ等を利用して、不特定多数のユーザから各種情報を収集するものは知られているが、インターネット上のホームページにテレビコマーシャルを再生して、そのコマーシャル画像を現実に観察しながらコマーシャルを提供する企業であるスポンサー各社の商品イメージ効果を調査するものは未だ例を見ないところである。
【０００３】
インターネットのホームページを利用する情報収集の一例としては、例えば図５のようなアンケート形式の回答欄を掲載しておき、各テレビ会社の放映時間とアンケート参加者の観察時間を記入する単なる視聴率調査が主なものであって、この発明のようなインターネット上に開設されたテレビコマーシャルに対し、そのコマーシャル画像を現実に観察しながらスポンサー各社の商品イメージ効果を調査するものではない。
【特許文献１】無し
【発明の開示】
【発明が解決しようとする課題】
【０００４】
この発明は、インターネット上に開設されたホームページに、スポンサー各社のテレビコマーシャルを再生し、そのコマーシャル画像を現実に観察しながらテレビコマーシャルを通じてスポンサー各社の企業イメージ・商品に対する購買意欲及びスポンサー会社の提供する商品全体のイメージ効果等を調査するテレビコマーシャル効果調査システムを提供しようとするものである。
【課題を解決するための手段】
【０００５】
インターネット上に開設されたホームページに、スポンサー各社のテレビコマーシャルを再生し、テレビコマーシャル全体のイメージやスポンサー各社の企業イメージ、商品自体のブランドイメージ、商品に対する購買意欲及びその他の調査情報等を点数化したアンケートをテレビコマーシャル再生画面毎に集計し、テレビコマーシャルの効果調査を行うテレビコマーシャル効果調査システムであって、インターネット上に開設されたホームページを利用してテレビコマーシャル効果調査システムに参加しようとするユーザが、事前に登録されたＩＤ・パスワードを入力することによりアンケートに参加し、必要な調査情報をアンケート画面上で再生されたコマーシャルを直接見ながら記入することにより、テレビコマーシャル毎の効果評価を集計することが出来るテレビコマーシャル効果調査システムである。 また、アンケートの集計結果は、このシステムの契約会社であるスポンサー側からも、そのＩＤを入力することにより集計結果を閲覧することができる。
【発明の効果】
【０００６】
したがって、この発明によればインターネット上に開設されたホームページに、スポンサー各社のテレビコマーシャルを再生し、そのコマーシャル画像を現実に観察しながらリアルタイムでスポンサー各社の企業イメージ及びスポンサー各社の提供する商品のイメージ効果等を調査することができるので、正確で信頼性に富んだイメージ効果の調査結果が期待できると言う優れた効果を有するものである。 また、テレビの放映とは無関係に、コマーシャルだけを見てアンケートに参加できるので、放映中の番組を見る煩わしさから解放されてアンケートに専念できる効果をも有する。
【発明を実施するための最良の形態】
【０００７】
以下、この発明の実施の形態を図面に基づき説明する。
【０００８】
先ず、図１により、この発明の調査システムの全体概念図を説明する。
（イ）は、インターネットを利用する不特定多数のインターネットユーザ（以下単に「ユーザ」という）を示しており、このユーザの中からインターネット上に開設されたホームページから、そこに表示されたテレビコマーシャル効果調査アンケート（以下「ＴＶ調査アンケート」と言う）に参加したユーザがホームページ上のＴＶ調査アンケートに記載されたテレビコマーシャル調査システム（アンケート部）（ロ）の調査表に、例えば、テレビコマーシャル全体のイメージ、企業イメージ、商品自体のイメージ等のブランドイメージ、商品に対する購買意欲、その他の調査情報を点数化して記入することにより、この発明の調査システムのデータベースに記録され、集計されて、このシステムの契約者であるポンサー（ハ）に報告される。
【０００９】
そして、このＴＶ調査アンケートに応募したユーザ（以下「アンケート参加者」と言う）には、必要に応じて所定の手段で各種景品が送られるようになっており、この景品の送付により、更にアンケート参加者の勧誘が促進される。
【００１０】
図２は、この発明の調査システムに適用される処理システム構造の概念図を示すもので、１はＩＤ・パスワード発行部で、アンケート参加者に与えられるアンケートページ入室用のＩＤとパスワードを発行する部分、２はＩＤ・パスワード認証部で、アンケートページへ入るアンケート参加者のＩＤとパスワードを確認する部分である。
【００１１】
３はこの発明の調査システムのホームページ部で、調査用Ｗebページ部とスポンサー用Ｗebページ部とを有し、ここにスポンサー各社のテレビコマーシャル画面とアンケート画面が再生される。
【００１２】
４はこの発明の調査システムのデータベース部で、アンケート結果が集計記録されて格納される部分、５はシステム全体を管理する核となるシステム管理部である。
【００１３】
図３は、この発明で使用される調査用Ｗebページの画面上に表示されるアンケートページ部である。ここで、（ａ）は各スポンサー用のテレビコマーシャル再生画面欄で、（ｂ）はアンケート記入欄である。テレビコマーシャル再生画面欄には、実際にテレビの放映時間帯に放映されるテレビコマーシャル再生画面が各スポンサー毎に表示されており、インターネット上に開設されたホームページから誰でも事前に登録されたＩＤ・パスワードを入力することにより、アンケートに参加することが出来ると共に、再生画面に表示されたＴＶコマーシャルを見ながらリアルタイムで、各スポンサー（Ａスポンサー、Ｂスポンサー、Ｃスポンサー、・・・・・）に対するアンケートに応じることが出来るのである。
【００１４】
図４は、この発明の調査システムのフローチャートである。
そして、インターネットを利用するユーザが、開かれたホームページ上のＴＶアンケート調査に参加するためＩＤ・パスワードをコンピュータに入力する（ステップＳ１）と、調査用のアンケートページ（図３参照）が開かれる（ステップＳ２）。
【００１５】
アンケート参加者は、アンケートページの画像再生ボタン（図示せず）をクリックし、スポンサーと記入欄を選択する（ステップ３）。
【００１６】
選択した再生画像に基づき、アンケートの設問毎に回答する（ステップ４）と、
その結果は、このシステムのデータベースに記録される（ステップ５）。
【００１７】
そのまま、回答終了で、Ｙを入力すれば（ステップ６）、このアンケート調査は終了するが（ステップ７）、必要に応じてＮを入力すれば、ステップ３にリターンすることが出来る。
【００１８】
また、ステップ５でデータベースへの記録が完了しなかった場合は、ステップ８でＮを入力することにより再びステップ２にリターンして、アンケート調査ページから再入力を行うことが出来る。ステップ５でステップ４での回答がデータベースに正しく記録された場合は、ステップ８で調査終了のＹを入力することにより、回答データは集計され（ステップ９）、スポンサーに報告されると共に、スポンサーはＩＤ・パスワードを入力することによって、このシステムの調査結果に対し、回答データの集計を閲覧し、検討することも出来る（ステップ１０）ようになっている。
【図面の簡単な説明】
【００１９】
【図１】この発明の調査システムの全体概念図である。
【図２】この発明の調査システムに適用される処理システム構造の概念図である。
【図３】この発明で使用される調査用Ｗebページの画面上に表示されるアンケートページである。
【図４】この発明の調査システムのフローチャートである。
【図５】従来使用されているアンケートページの画面である。
【符号の説明】
【００２０】
（イ）・・・インターネット利用者（ユーザ）
（ロ）・・・テレビコマーシャル調査システムのアンケート部
（ハ）・・・スポンサー
【図１】
2005346122.tif 000003
【図２】
2005346122.tif 000004
【図３】
2005346122.tif 000005
【図４】
2005346122.tif 000006
【図５】
2005346122.tif 000007